(57)【要約】【課題】部品点数を増加させることなく、偏重心光ディスクの回転に伴うドライブシャーシの振動を防止して騒音を抑制し、記録・再生性能を高めることができる光ディスク記録・再生装置を提供する。【解決手段】光ピックアップ３等を搭載したドライブシャーシ２を、その後部両側端の嵌合部２ａでメインシャーシ１に嵌合枢着し、背後から嵌合部２ａを当止する左右一対の弾性を備えたアーム１ｂをメインシャーシ１から突設した光ディスク記録・再生装置において、ドライブシャーシの少なくとも一方の嵌合部２ａに、アーム１ｂと係合して該アームを外側方向へ押圧する係合突起２ｃを設けた構成とする。係合突起２ｃで押圧されたアーム１ｂの反作用による付勢力で、他方の嵌合部２ａをメインシャーシの被嵌合部に圧接してドライブシャーシを固定することにより、振動を防止して騒音を抑制し、記録・再生性能を向上させる。【選択図】図１
2008016125.tif 000002
【特許請求の範囲】
【請求項１】
光ピックアップとターンテーブルを搭載したドライブシャーシを、その後部両側端の嵌合部でメインシャーシに上下揺動可能に嵌合枢着し、このドライブシャーシの双方の嵌合部が外れないように背後から双方の嵌合部を当止する左右一対の弾性を備えたアームをメインシャーシの後壁内面から前方に向かって突設した光ディスク記録・再生装置において、
上記嵌合部として凸軸部をドライブシャーシの後部両側端に形成し、少なくとも一方の凸軸部の外周面に、上記アームと係合して上記アームを外側方向へ押圧する係合突起を設けると共に、この係合突起の上記アームとの係合面を斜面に形成し、上記アームの係合突起との被係合面を上記係合面と実質的に同じ傾斜角度の斜面に形成したことを特徴とする光ディスク記録・再生装置。
【請求項２】
光ピックアップとターンテーブルを搭載したドライブシャーシを、その後部両側端の嵌合部でメインシャーシに上下揺動可能に嵌合枢着し、このドライブシャーシの双方の嵌合部が外れないように背後から双方の嵌合部を当止する左右一対の弾性を備えたアームをメインシャーシの後壁内面から前方に向かって突設した光ディスク記録・再生装置において、
上記ドライブシャーシの少なくとも一方の嵌合部に、上記アームと係合して上記アームを外側方向へ押圧する係合突起を設けたことを特徴とする光ディスク記録・再生装置。
【請求項３】
上記ドライブシャーシの後部両側端に嵌合部として凸軸部を形成し、少なくとも一方の凸軸部の外周面に上記係合突起を設けたことを特徴とする請求項２に記載の光ディスク記録・再生装置。
【請求項４】
上記ドライブシャーシの後部両側端に、上記メインシャーシの側壁内面から突設された支軸部に係合する係合凹部と下方に折曲された垂片とを有する嵌合部を形成し、少なくとも一方の嵌合部の垂片の背面に上記係合突起を設けたことを特徴とする請求項２に記載の光ディスク記録・再生装置。
【請求項５】
上記係合突起の上記アームとの係合面を斜面に形成したことを特徴とする請求項２ないし請求項４のいずれかに記載の光ディスク記録・再生装置。
【発明の詳細な説明】
【技術分野】
【０００１】
本発明は光ディスク記録・再生装置に関し、特に、偏重心光ディスクの記録・再生時のドライブシャーシの振動を防止して騒音を抑え、記録・再生性能を高めることができる光ディスク記録・再生装置に関する。
【背景技術】
【０００２】
周知のように、光ディスク記録・再生装置は、光ピックアップとターンテーブルを搭載したドライブシャーシをメインシャーシに上下揺動可能に枢着し、このドライブシャーシを上下に揺動させるカムスライダーをメインシャーシに取付けると共に、このドライブシャーシの上方にディスクトレイを配置して進退自在にメインシャーシに取付け、その上のクランパー保持部にクランパーを保持させた構造を有している。
【０００３】
このような光ディスク記録・再生装置では、光ディスクをディスクトレイに載置してターンテーブルとクランパーの間に送り込むと、ドライブシャーシがカムスライダーによって上向きに回動し、ターンテーブルとクランパーにより光ディスクが保持されて回転すると共に、光ピックアップからレーザービームが光ディスクに照射されて記録・再生が行われる。
【０００４】
しかしながら、従来の光ディスク記録・再生装置は、メインシャーシに対するドライブシャーシの組込み作業を容易にするためにドライブシャーシの嵌合枢着部分の各所に隙間を設けている関係上、重心がディスク中心からずれている偏重心光ディスクをターンテーブルとクランパーとで保持して回転させると、ドライブシャーシが振動して騒音が発生し、記録・再生性能も低下するという問題があった。
【０００５】
かかる問題の解決を目的とする光ディスク記録・再生装置として、ドライブシャーシの枢着部分の突軸に突起を設け、この突起をメインシャーシの軸受片の側面に当接させることによって、ドライブシャーシの横方向のガタツキや振動を防止しようとしたものが知られている（特許文献１）。
【０００６】
また、メインシャーシを、その側部において、ケーシングの側板に対し、複数の緩衝部材を介して支持させたディスク装置（特許文献２）や、ディスクトレイの後部に弾性偏位可能な帯板を設けると共に、横揺れ防止ピンをシャーシに設けて、帯板を横揺れ防止ピンに接触させるようにしたディスク装置（特許文献３）も知られている。
【特許文献１】特開２００３−１９６９５１号公報
【特許文献２】特開平１０−１１９５８号公報
【特許文献３】特開２００５−３３２５３６号公報
【発明の開示】
【発明が解決しようとする課題】
【０００７】
しかしながら、上記特許文献１の光ディスク記録・再生装置では、突起を軸受片の側面と密接するように突軸に設けると、メインシャーシに対するドライブシャーシの組込み作業がし辛くなるため、実際には突起と軸受片の側面との間に微小間隙をあける必要があり、そのためドライブシャーシのガタツキや振動を充分防止できないという問題が依然として残されていた。
【０００８】
また、上記特許文献２のディスク装置のように、複数の緩衝部材を介してメインシャーシをケーシングの側板に支持させると、部品点数や組立工数が増加するため、製造コストが高くなるという問題があり、しかも、緩衝部材を介在させるだけでは振動を充分防止できないという問題があった。また、上記特許文献３のディスク装置は、ディスクトレイの振動を防止できるけれども、ドライブシャーシの振動を防止することはできないという問題があった。
【０００９】
本発明は、上記の事情の下になされたもので、部品点数を増加させることなく、偏重心光ディスクの回転に伴うドライブシャーシの振動を防止して騒音を抑制し、記録・再生性能を高めることができる光ディスク記録・再生装置を提供することを解決課題としている。
【課題を解決するための手段】
【００１０】
上記課題を解決するため、本発明は、光ピックアップとターンテーブルを搭載したドライブシャーシを、その後部両側端の嵌合部でメインシャーシに上下揺動可能に嵌合枢着し、このドライブシャーシの双方の嵌合部が外れないように背後から双方の嵌合部を当止する左右一対の弾性を備えたアームをメインシャーシの後壁内面から前方に向かって突設した光ディスク記録・再生装置において、上記ドライブシャーシの少なくとも一方の嵌合部に、上記アームと係合して上記アームを外側方向へ押圧する係合突起を設けたことを特徴とするものである。
【００１１】
本発明の光ディスク記録・再生装置においては、請求項３に記載したように、ドライブシャーシの後部両側端に嵌合部として凸軸部を形成し、少なくとも一方の凸軸部の外周面に上記係合突起を設けることが好ましく、また、請求項４に記載したように、ドライブシャーシの後部両側端に、メインシャーシの側壁内面から突設された支軸部に係合する係合凹部と下方に折曲された垂片とを有する嵌合部を形成し、少なくとも一方の嵌合部の垂片の背面に上記係合突起を設けることも好ましい。更に、請求項５に記載したように、上記係合突起のアームとの係合面を斜面に形成することも好ましい。
【００１２】
そして、本発明の一層具体化された好ましい光ディスク記録・再生装置は、請求項１に記載したように、光ピックアップとターンテーブルを搭載したドライブシャーシを、その後部両側端の嵌合部でメインシャーシに上下揺動可能に嵌合枢着し、このドライブシャーシの双方の嵌合部が外れないように背後から双方の嵌合部を当止する左右一対の弾性を備えたアームをメインシャーシの後壁内面から前方に向かって突設した光ディスク記録・再生装置であって、上記嵌合部として凸軸部をドライブシャーシの後部両側端に形成し、少なくとも一方の凸軸部の外周面に、上記アームと係合して上記アームを外側方向へ押圧する係合突起を設けると共に、この係合突起の上記アームとの係合面を斜面に形成し、上記アームの係合突起との被係合面を上記係合面と実質的に同じ傾斜角度の斜面に形成したことを特徴とするものである。
【発明の効果】
【００１３】
本発明の光ディスク記録・再生装置は、ドライブシャーシの少なくとも一方の嵌合部に設けられた係合突起が一方のアームを外側方向へ押圧するため、弾性を有するアームの反作用によって、係合突起と共にドライブシャーシが反対側方向に付勢され、ドライブシャーシの他方の嵌合部がメインシャーシの他方の被嵌合部の側面に圧接されてドライブシャーシが固定される。従って、偏重心光ディスクをドライブシャーシのターンテーブルとクランパーとで挟持して回転させながら記録・再生を行っても、ドライブシャーシに振動が発生し難くなり、また、アームの弾性によっても振動が吸収されるので、ドライブシャーシとメインシャーシの嵌合枢着部分からの騒音の発生が抑えられ、光ディスクへの記録・再生性能も向上する。
【００１４】
上記の効果は、請求項３の光ディスク記録・再生装置のように、嵌合部として凸軸部を形成し、その外周面に係合突起を設ける場合でも、請求項４の光ディスク記録・再生装置のように、嵌合部の垂片の背面に係合突起を設ける場合でも、同様に得られるものである。また、請求項５の光ディスク記録・再生装置のように、係合突起のアームとの係合面を斜面に形成すると、アームによる付勢力は、係合突起がアームを押圧する外側方向と反対側方向の力と前方向の力とに分力されて作用し、ドライブシャーシの他方の嵌合部がメインシャーシの他方の被嵌合部の側面に圧接されると共に、ドライブシャーシの双方の嵌合部がメインシャーシの双方の被嵌合部の前面に圧接されて、ドライブシャーシが左右方向のみならず前後方向にも固定されることになるため、ドライブシャーシの振動をより確実に防止して騒音を一層抑えることができるようになる。
【００１５】
更に、最も具体化された請求項１の光ディスク記録・再生装置は、上記の作用効果に加えて、アームの係合突起との被係合面を上記係合面と実質的に同じ傾斜角度の斜面に形成しているため、係合突起の傾斜した係合面とアームの傾斜した被係合面とが実質的に面接触して摩擦抵抗の増大により滑りにくくなり、ドライブシャーシの固定作用が更に向上するので、振動防止効果、騒音抑制効果、記録・再生性能向上効果が顕著になる。
【発明を実施するための最良の形態】
【００１６】
以下、図面を参照して、本発明に係る光ディスク記録・再生装置の具体的な実施形態を詳述する。
【００１７】
図１は本発明の一実施形態に係る光ディスク記録・再生装置をディスクトレイを省略して示した概略平面図、図２は同装置の拡大部分平面図、図３は同装置のメインシャーシとドライブシャーシの嵌合枢着部分の拡大平面図である。
【００１８】
この光ディスク記録・再生装置は、熱可塑性合成樹脂で射出成形されたメインシャーシ１の内側に、同じく熱可塑性合成樹脂で射出成形されたドライブシャーシ２を、その後部両側端の嵌合部（凸軸部２ａ，２ａ）で上下揺動可能に嵌合枢着すると共に、このドライブシャーシ２の上方にディスクトレイ（不図示）を配置して進退自在にメインシャーシ１の内側に取付けたものであって、ドライブシャーシ２には光ピックアップ３とターンテーブル４が搭載されており、光ピックアップ３はガイド軸３ａに沿ってターンテーブル４に対し接近、離反自在となっている。
【００１９】
このターンテーブル４の真上には光ディスクのクランパー５が配置され、このクランパー５は、ディスクトレイを跨ぐようにメインシャーシ１に一体成形されたブリッジ６の中央のクランパー保持部６ａに回転自在に保持されている。また、ドライブシャーシ２の前端には凸部２ｂが形成され、この凸部２ｂは、メインシャーシ１に左右スライド可能に設けられたカムスライダー７のカム溝に嵌め込まれている。従って、カムスライダー７を左右にスライドさせると凸部２ｂがカム溝内を摺動し、ドライブシャーシ２が嵌合部（凸軸部２ａ，２ａ）を中心にして上下に揺動するようになっている。
【００２０】
ドライブシャーシ２は、その後部両側端に嵌合部として凸軸部２ａ，２ａが突設されており、これらの凸軸部２ａ，２ａが、メインシャーシ１に被嵌合部として形成された左右の軸受部１ａ，１ａに背後から嵌合枢着されて、上記のようにメインシャーシ１の内側に上下揺動可能に取付けられている。そして、これらの凸軸部２ａ，２ａは、軸受部１ａ，１ａから外れることがないように、メインシャーシ１の後壁内面から前方に向かって突設された左右一対の弾性を有する合成樹脂製のアーム１ｂ，１ｂの先端部によって背後から当止されている。
【００２１】
一方の凸軸部２ａ（図１〜図３に示す実施形態では左側の凸軸部）の外周面には、一方のアーム１ｂの先端部と係合して該アーム１ｂを外側方向（図１〜図３に示す実施形態では左側方向）に押圧する係合突起２ｃが形成されている。従って、一方（左側）のアーム１ｂはこの係合突起２ｃにより外側方向（左側方向）に常時押圧されるため、弾性を有する該アーム１ｂの反作用によって係合突起２ｃと共にドライブシャーシ２の後部が反対側方向（右側方向）に付勢され、他方（右側）の凸軸部２ａがメインシャーシ１の他方（右側）の軸受部１ａの側面１ｃに圧接されてドライブシャーシ２が左右方向に固定されるようになっている。
【００２２】
図３に示すように、係合突起２ｃのアーム１ｂ先端部との係合面２ｄは３０°〜６０°の傾斜角度で傾斜する斜面に形成することが好ましく、これに対応してアーム１ｂ先端部の係合突起２ｃとの被係合面１ｄも、上記係合面２ｄと実質的に同じ傾斜角度で傾斜する斜面に形成することが好ましい。このようにすると、外側方向に押圧されたアーム１ｂの反作用による付勢力は、矢印Ｘ方向（係合突起２ｃがアーム１ｂを押圧する外側方向と反対側方向、つまり右側方向）の力と矢印Ｙ方向（前方向）の力とに分力されて作用し、矢印Ｘ方向の分力によってドライブシャーシ２の他方（右側）の凸軸部２ａがメインシャーシ１の他方（右側）の軸受部１ａの側面１ｃに圧接されると共に、ドライブシャーシ２の双方の凸軸部２ａ，２ａがメインシャーシ１の双方の軸受部１ａ，１ａの前面１ｅに圧接されて、ドライブシャーシ２が左右方向のみならず前後方向にも固定されることになる。そして、係合突起２ｃの傾斜した係合面２ｄとアーム１ｂ先端部の傾斜した被係合面１ｄとが実質的に面接触して摩擦抵抗の増大により滑りにくくなるため、ドライブシャーシ２の固定作用が更に向上することになる。
【００２３】
尚、係合突起２ｃの係合面２ｄの傾斜角度、及び、アーム１ｂ先端部の被係合面１ｄの傾斜角度が３０°未満又は６０°を越える場合は、いずれもＸ方向又はＹ方向の分力に大きい差が生じ、ドライブシャーシ２を前後左右ほぼ均等に固定することが難しくなるので好ましくない。
【００２４】
上記構成の光ディスク記録・再生装置は、ディスクトレイに載せて送り込まれた偏重心光ディスクをターンテーブル４とクランパー５で挟持して回転させながら光ピックアップ３からレーザービームを照射して記録又は再生をする場合でも、既述したようにドライブシャーシ２が固定されて振動が発生し難く、また、アーム１ｂの弾性によっても振動が吸収されるので、ドライブシャーシ２の凸軸部２ａ，２ａとメインシャーシ１の軸受部１ａ，１ａとの嵌合枢着部分から発生する騒音を抑えることができ、記録・再生性能を向上させることができる。特に、係合突起２ｃのアーム１ｂ先端部との係合面２ｄと、アーム１ｂ先端部の係合突起２ｃとの被係合面１ｄを実質的に同一の傾斜角度を有する斜面に形成したものは、ドライブシャーシ２の固定作用が更に向上するので、振動防止効果、騒音抑制効果、記録・再生性能向上効果が顕著になる。
【００２５】
上記実施形態の光ディスク記録・再生装置では、一方（左側）の凸軸部２ａに係合突起２ｃを形成しているが、他方（右側）の凸軸部２ａに係合突起２ｃを形成してもよいし、双方の凸軸部２ａ，２ａに係合突起２ｃを形成してもよい。
【００２６】
図４は本発明の他の実施形態に係る光ディスク記録・再生装置の拡大部分平面図、図５は図４のＡ−Ａ線に沿った部分断面図である。
【００２７】
この光ディスク記録・再生装置は、ドライブシャーシ２が金属製のシャーシであり、その後部両側端には、以下のような構成の嵌合部２ｅが形成されている。即ち、この嵌合部２ｅは、図５に示すように、メインシャーシ１の側壁内面から内側へ突設された支軸部１ｆに背後から回動自在に係合する係合凹部２ｆと、その後側の下方に折曲された垂片２ｇとを有するもので、この嵌合部２ｅは、メインシャーシ１の側壁内面から内側へ突設された押さえ片１ｇと支軸部１ｆとの間の被嵌合部に嵌合されて、支軸部１ｆにより下方から支持されると共に、押さえ片１ｇで上方から押さえられている。そして、この嵌合部２ｅの垂片２ｇは、メインシャーシ１の後壁内面から突設された弾性を有するアーム１ｂによって背後から当止され、これによってドライブシャーシ２の嵌合部２ｅは上下方向にも前後方向にも外れない状態で上下方向に揺動可能に嵌合枢着されている。尚、図４、図５において、２ｈは、ドライブシャーシ２の嵌合部２ｅをメインシャーシ１の上記被嵌合部に嵌合枢着する際に、メインシャーシ１の押さえ片１ｃを通すためにドライブシャーシ２の両側縁に形成した切欠部である。
【００２８】
一方（左側）の嵌合部２ｅの垂片２ｇの背面には、一方（左側）のアーム１ｂと係合して該アーム１ｂを外側方向（左側方向）に押圧する係合突起２ｃが、垂片２ｇの一部を切り起こすことによって設けられている。従って、この光ディスク記録・再生装置も、外側方向（左側方向）に押圧されたアーム１ｂの反作用による付勢力で、ドライブシャーシ２の他方（右側）の嵌合部２ｅがメインシャーシ１の上記被嵌合部の側壁内面１ｈに圧接されて左右方向に固定されるため、偏重心ディスクの記録・再生時にドライブシャーシ２の振動が防止されて騒音が抑えられ、記録・再生性能が向上する。
【００２９】
また、この光ディスク記録・再生装置においても、係合突起２ｃのアーム１ｂ先端部との係合面、及び、アーム１ｂ先端部の係合突起２ｃとの被係合面を、実質的に同一の傾斜角度を有する斜面に形成し、ドライブシャーシ２の固定作用を更に向上させて、顕著な振動防止効果、騒音抑制効果、記録・再生性能向上効果を得られるようにすることが好ましい。
【００３０】
尚、この光ディスク記録・再生装置の全体構成は、前述した図１の光ディスク記録・再生装置と基本的に同様であるので、説明を省略する。
【００３１】
以上の説明から明らかなように、本発明に係る光ディスク記録・再生装置は、部品点数を増加させることなく、偏重心光ディスクの回転に伴うドライブシャーシの振動を防止して騒音を抑制し、記録・再生性能を高めることができる優れたものである。
【図面の簡単な説明】
【００３２】
【図１】本発明の一実施形態に係る光ディスク記録・再生装置をディスクトレイを省略して示した概略平面図である。
【図２】同装置の拡大部分平面図である。
【図３】同装置のメインシャーシとドライブシャーシの嵌合枢着部分の拡大平面図である。
【図４】本発明の他の実施形態に係る光ディスク記録・再生装置の拡大部分平面図である。
【図５】図４のＡ−Ａ線に沿った部分断面図である。
【符号の説明】
【００３３】
１    メインシャーシ
１ａ  被嵌合部（軸受部）
１ｂ  アーム
１ｄ  アームの係合突起との被係合面
１ｆ  支軸部
１ｇ  押さえ片
２    ドライブシャーシ
２ａ  嵌合部（凸軸部）
２ｃ  係合突起
２ｄ  係合突起のアームとの係合面
２ｅ  嵌合部
２ｆ  係合凹部
２ｇ  垂片
３    光ピックアップ
４    ターンテーブル
５    クランパー
７    カムスライダー
【図１】
2008016125.tif 000003
【図２】
2008016125.tif 000004
【図３】
2008016125.tif 000005
【図４】
2008016125.tif 000006
【図５】
2008016125.tif 000007